(57)【要約】      （修正有）【課題】別部材なしで板材を構成する第１壁と第２壁とを所定角度にして簡単に設置することができるパーティションを提供する。【解決手段】パーティションは、板材１１０を備えている。板材１１０が、第１壁１１１と、第２壁１１２と、第１壁と第２壁との間に配設された第１折曲げ線１１３と、板材における第１折曲げ線の延長線上を跨ぐ位置において第２折曲げ線１１４および切り込みによって形成されて相互に第２折曲げ線を介して第１壁と連結する切り欠き片１１５と、第２壁に形成された穴状または凹状の係合部分１１２ａとを有している。第１壁および第２壁が同一面上の姿勢から第１折曲げ線で折り曲げられ、切り欠き片が、第１壁と同一面上の姿勢から第２折曲げ線で第１壁に対する第２壁の変位した側へ折り曲げられた際、切り欠き片に形成された溝部分が、係合部分に挿通されて第２壁の両面と接触自在である。【選択図】図２
0003230155.tif 000002
【実用新案登録請求の範囲】
【請求項１】
折曲げ線を介して互いに連結した第１壁と第２壁とを互いに所定角度の姿勢に変位自在な板材を備えたパーティションであって、
前記板材が、板材における第１所定領域で構成される第１壁と、
前記板材における第１所定領域と別の第２所定領域で構成される第２壁と、
前記第１壁と第２壁との間に配設された第１折曲げ線と、
前記板材における第１折曲げ線の延長線上を跨ぐ位置において第２折曲げ線および切り込みによって形成されて相互に第２折曲げ線を介して第１壁と連結する切り欠き片と、
前記第２壁に形成された穴状または凹状の係合部分とを有し、
前記第１壁および第２壁が板材における同一面上の姿勢から第１折曲げ線で折り曲げられて互いに変位し、前記切り欠き片が、板材における第１壁と同一面上の姿勢から第２折曲げ線で第１壁に対する第２壁の変位した側へ折り曲げられた際に、前記切り欠き片に形成された溝部分が、第２壁に形成された係合部分に挿通されて第２壁の一方面および他方面の両面と接触自在な構成であることを特徴とするパーティション。
【請求項２】
前記第２折曲げ線が、前記第１折曲げ線と交差する方向に設けられ、
前記係合部分が、穴状であり、前記切り欠き片の溝部分を挿通させる挿通領域と、
前記切り欠き片の溝部分が第２壁の両面と接触したときに位置する角度保持領域とを有し、
前記角度保持領域が、前記挿通領域より狭く、切り欠き片の姿勢が第１壁と同一面上であるときの第１折曲げ線延設方向における挿通領域より切り欠き片の自由端側となる位置に配置された構成であることを特徴とする請求項１に記載のパーティション。
【請求項３】
前記パーティションが、前記板材を複数重ねた状態で複数の板材のそれぞれ外側面と接触して挟持するジョイント部材を備えていることを特徴とする請求項１または請求項２に記載のパーティション。
【請求項４】
前記板材が、樹脂製の３層以上の複層構造を有し、複層構造のうちの両外側の層が平坦層であり、内部中間の層が所定方向に長尺な中空構造を形成するリブ形状層であることを特徴とする請求項１乃至請求項３のいずれか１つに記載のパーティション。
【考案の詳細な説明】
【技術分野】
【０００１】
本考案は、折曲げ線を介して互いに連結した第１壁と第２壁とを互いに所定角度の姿勢に変位自在な板材を備えたパーティションに関する。
【背景技術】
【０００２】
従来、柱部材と、パネルと、固定具とを備えた間仕切りが知られている（例えば、特許文献１）。
【先行技術文献】
【特許文献】
【０００３】
【特許文献１】実登３２２２１０６号公報
【考案の概要】
【考案が解決しようとする課題】
【０００４】
しかしながら、上述した従来の間仕切りは、板状のパネルを柱部材に接続させて固定具で複数のパネルの姿勢を互いに直交させる構造であったため、複数の種類の部材が必要となり、パネルの数量に対して固定具が不足した場合、複数のパネルの姿勢を決めることが困難であるという問題があった。
【０００５】
そこで、本考案は、前述したような従来技術の問題を解決するものであって、すなわち、本考案の目的は、別部材なしで板材を構成する第１壁と第２壁とを所定角度にして簡単に設置することができるパーティションを提供することである。
【課題を解決するための手段】
【０００６】
本請求項１に係る考案は、折曲げ線を介して互いに連結した第１壁と第２壁とを互いに所定角度の姿勢に変位自在な板材を備えたパーティションであって、前記板材が、板材における第１所定領域で構成される第１壁と、前記板材における第１所定領域と別の第２所定領域で構成される第２壁と、前記第１壁と第２壁との間に配設された第１折曲げ線と、前記板材における第１折曲げ線の延長線上を跨ぐ位置において第２折曲げ線および切り込みによって形成されて相互に第２折曲げ線を介して第１壁と連結する切り欠き片と、前記第２壁に形成された穴状または凹状の係合部分とを有し、前記第１壁および第２壁が板材における同一面上の姿勢から第１折曲げ線で折り曲げられて互いに変位し、前記切り欠き片が、板材における第１壁と同一面上の姿勢から第２折曲げ線で第１壁に対する第２壁の変位した側へ折り曲げられた際に、前記切り欠き片に形成された溝部分が、第２壁に形成された係合部分に挿通されて第２壁の一方面および他方面の両面と接触自在な構成であることにより、前述した課題を解決するものである。
【０００７】
本請求項２に係る考案は、請求項１に記載されたパーティションの構成に加えて、前記第２折曲げ線が、前記第１折曲げ線と交差する方向に設けられ、前記係合部分が、穴状であり、前記切り欠き片の溝部分を挿通させる挿通領域と、前記切り欠き片の溝部分が第２壁の両面と接触したときに位置する角度保持領域とを有し、前記角度保持領域が、前記挿通領域より狭く、切り欠き片の姿勢が第１壁と同一面上であるときの第１折曲げ線延設方向における挿通領域より切り欠き片の自由端側となる位置に配置された構成であることにより、前述した課題をさらに解決するものである。
【０００８】
本請求項３に係る考案は、請求項１または請求項２に記載されたパーティションの構成に加えて、前記パーティションが、前記板材を複数重ねた状態で複数の板材のそれぞれ外側面と接触して挟持するジョイント部材を備えていることにより、前述した課題をさらに解決するものである。
【０００９】
本請求項４に係る考案は、請求項１乃至請求項３のいずれか１つに記載されたパーティションの構成に加えて、前記板材が、樹脂製の３層以上の複層構造を有し、複層構造のうちの両外側の層が平坦層であり、内部中間の層が所定方向に長尺な中空構造を形成するリブ形状層であることにより、前述した課題をさらに解決するものである。
【考案の効果】
【００１０】
本考案のパーティションは、折曲げ線を介して互いに連結した第１壁と第２壁とを備えていることにより、第１壁と第２壁とを互いに所定角度の姿勢に変位させることができるばかりでなく、以下のような特有の効果を奏することができる。
【００１１】
本請求項１に係る考案のパーティションによれば、第１壁に対する第２壁の姿勢が決まり、第１壁と第２壁との成す角度が所定角度になるため、別部材なしでパーティションである第１壁と第２壁とを所定角度にして簡単に設置することができる。
例えば、第１壁と第２壁とを所定角度の一例として略直角にして簡単に設置することができる。
さらに、板材に対する切り欠き片の大きさは僅かでよいため、間仕切りとして殆ど影響なくプライベート空間を設けることができる。
【００１２】
本請求項２に係る考案のパーティションによれば、請求項１に係る考案が奏する効果に加えて、板材から折曲げた切り欠き片について、折曲げる前の姿勢に戻ろうとする力が作用しても第２壁の穴状の係合部分における切り欠き片が戻ろうとする側に位置する角度保持領域に切り欠き片の溝部分が留まるため、切り欠き片の溝部分が第２壁の両面と接触した状態を維持して第１壁と第２壁とを所定角度の一例として略直角で維持できる。
【００１３】
本請求項３に係る考案のパーティションによれば、請求項１または請求項２に係る考案が奏する効果に加えて、複数の板材が互いに自由に連結自在となるため、板材とジョイント部材とを組み合わせるだけで様々なプライベート空間を簡単に作ることができる。
さらに、２枚の板材の重なる範囲が無段階で調整自在となるため、２枚の板材の一部が互いに重なる条件下で２枚の板材の連結方向の長さを自由に簡単に調整することができる。
また、２枚の板材を連結するための穴を設ける必要がないため、安心なプライベート空間を設けることができる。
【００１４】
本請求項４に係る考案のパーティションによれば、請求項１乃至請求項３のいずれか１つに係る考案が奏する効果に加えて、お茶などの液体が板材に対して基本的にしみ込まない、かつ、消毒液などの液体薬品が板材に対して使用可能となるため、衛生面で優れたパーティションを提供できる。
さらに、単層構造と比べて強靱で耐久性が増すため、再利用自在な環境面で優れたパーティションを提供できる。
また、中空構造となるため、中空でない構造と比べて軽量なパーティションを提供できる。
【図面の簡単な説明】
【００１５】
【図１】本考案の第１実施例であるパーティションの組み立て例を示す斜視図。
【図２】本考案の第１実施例であるパーティションの板材の例を示す平面図。
【図３】（Ａ）（Ｂ）は図２に示す符号３Ａで示す範囲の拡大図およびパーティションの第１壁および第２壁を変位させた際の切り欠き片およびその周辺の拡大斜視図。
【図４】（Ａ）（Ｂ）は図３（Ｂ）の状態から第１壁および第２壁をさらに変位させた際の切り欠き片およびその周辺の拡大斜視図。
【図５】（Ａ）（Ｂ）は図１に示す符号５Ａから視た拡大図および図１に示す符号５Ｂ−５Ｂから視た断面図。
【図６】（Ａ）（Ｂ）は本考案の第２実施例であるパーティションの板材の凹状の係合部分の例を示す拡大図および本考案の第３実施例であるパーティションの板材の切り欠き片の例を示す拡大図。
【考案を実施するための形態】
【００１６】
本考案のパーティションは、折曲げ線を介して互いに連結した第１壁と第２壁とを有する板材を備え、板材が、板材における第１所定領域で構成される第１壁と、板材における第１所定領域と別の第２所定領域で構成される第２壁と、第１壁と第２壁との間に配設された第１折曲げ線と、板材における第１折曲げ線の延長線上を跨ぐ位置において第２折曲げ線および切り込みによって形成されて相互に第２折曲げ線を介して第１壁と連結する切り欠き片と、第２壁に形成された穴状または凹状の係合部分とを有し、第１壁および第２壁が板材における同一面上の姿勢から第１折曲げ線で折り曲げられて互いに変位し、切り欠き片が、板材における第１壁と同一面上の姿勢から第２折曲げ線で第１壁に対する第２壁の変位した側へ折り曲げられた際に、切り欠き片に形成された溝部分が、第２壁に形成された係合部分に挿通されて第２壁の一方面および他方面の両面と接触自在な構成であることにより、別部材なしでパーティションである第１壁と第２壁とを所定角度の一例として略直角で簡単に設置することができるものであれば、その具体的な実施態様は、如何なるものであっても構わない。
【００１７】
例えば、板材の素材は、プラスチックなどの樹脂でもよいし、ダンボールなどの紙でもよい。
また、板材の構造は、単一層でもよいし、所謂、ダンボールのような中空構造を有する複層構造でもよい。
さらに、係合部分の形状については、切り欠き片の一部が挿通自在であり、切り欠き片に形成された溝部分が、第２壁に形成された穴状または凹状の係合部分に挿通されて第２壁の一方面および他方面の両面と接触自在であれば、如何なる形状でもよい。
【実施例１】
【００１８】
以下に、本考案の第１実施例であるパーティション１００について、図１乃至図５（Ｂ）に基づいて説明する。
ここで、図１は、本考案の第１実施例であるパーティション１００の組み立て例を示す斜視図であり、図２は、本考案の第１実施例であるパーティション１００の板材１１０の例を示す平面図であり、図３（Ａ）は、図２に示す符号３Ａで示す範囲の拡大図であり、図３（Ｂ）は、パーティション１００の第１壁１１１および第２壁１１２を変位させる際の切り欠き片１１５およびその周辺の拡大斜視図であり、図４（Ａ）は、図３（Ｂ）の状態から第１壁１１１および第２壁１１２をさらに変位させた際の切り欠き片１１５およびその周辺の拡大斜視図であり、図４（Ｂ）は、図４（Ａ）の状態から第１壁１１１および第２壁１１２をさらに変位させた際の切り欠き片１１５およびその周辺の拡大斜視図であり、図５（Ａ）は、図１に示す符号５Ａから視た拡大図であり、図５（Ｂ）は、図１に示す符号５Ｂ−５Ｂから視た断面図である。
【００１９】
本考案の第１実施例であるパーティション１００は、図１に示すように、複数の板材１１０と、複数の板材１１０を繋ぐジョイント部材１２０とを備えている。
このうち、板材１１０は、図２および図３（Ａ）に示すように、折曲げ線を介して互いに連結した第１壁１１１と第２壁１１２とを互いに所定角度の姿勢に変位自在に構成されている。
具体的には、板材１１０が、第１壁１１１と、第２壁１１２と、第１折曲げ線１１３と、切り欠き片１１５と、穴状または凹状の係合部分の一例としての係合穴１１２ａとを有している。
【００２０】
このうち、第１壁１１１は、板材１１０における第１所定領域で構成されている。
また、第２壁１１２は、板材１１０における第１所定領域と別の第２所定領域で構成されている。
さらに、第１折曲げ線１１３は、第１壁１１１と第２壁１１２との間に配設されている。
また、切り欠き片１１５は、板材１１０における第１折曲げ線１１３の延長線上を跨ぐ位置において、第２折曲げ線１１４および切り込みによって形成されている。
そして、相互に第２折曲げ線１１４を介して第１壁１１１と連結している。
さらに、係合穴１１２ａは、第２壁１１２に形成されている。
【００２１】
続いて、切り欠き片１１５と係合穴１１２ａとの関係について説明する。
図２および図３（Ａ）に示すように、最初、板材１１０は、第１折曲げ線１１３で折られていない真っ平らな状態であり、第１壁１１１と、第２壁１１２とが同一面上の姿勢である。
そして、図３（Ｂ）に示すように、第１壁１１１および第２壁１１２が、板材１１０における同一面上の姿勢から第１折曲げ線１１３で折り曲げられて互いに変位する。
【００２２】
この際、図４（Ａ）に示すように、切り欠き片１１５が、板材１１０における第１壁１１１と同一面上の姿勢から第２折曲げ線１１４で第１壁１１１に対する第２壁１１２の変位した側へ折り曲げられる。
なお、組立者による第１折曲げ線１１３における折曲げと、第２折曲げ線１１４における折曲げとの順番については、どちらが先でもよい。
【００２３】
さらに、図４（Ｂ）に示すように、切り欠き片１１５が第２壁１１２に形成された係合穴１１２ａと対向するように、第１折曲げ線１１３および第２折曲げ線１１４における折曲げを行う。
そして、切り欠き片１１５に形成された溝部分１１５ａを、第２壁１１２に形成された係合穴１１２ａに挿通させる。
より具体的には、溝部分１１５ａの一方の側壁および底が、第２壁１１２に形成された係合穴１１２ａに挿通される。
【００２４】
その後、図５（Ａ）に示すように、切り欠き片１１５に形成された溝部分１１５ａが、第２壁１１２の一方面および他方面の両面と接触自在に構成されている。
より具体的には、切り欠き片１１５に形成された溝部分１１５ａの両側の側壁が、第２壁１１２の両面と接触自在に構成されている。
溝部分１１５ａの溝幅（両側の側壁間の幅）は、第２壁１１２の厚みと対応している。
これにより、第１壁１１１に対する第２壁１１２の姿勢が決まり、第１壁１１１と第２壁１１２との成す角度が所定角度の一例として略直角になる。
その結果、別部材なしでパーティション１００である第１壁１１１と第２壁１１２とを所定角度の一例として略直角で簡単に設置することができる。
さらに、板材１１０に対する切り欠き片１１５の大きさは、僅かでよい。
その結果、間仕切りとして殆ど影響なくプライベート空間を設けることができる。
【００２５】
なお、所定角度の一例として略直角としたが、略直角に限らない。
略直角に設置することが多々あり、それ以外の角度で設置することが稀であるため、略直角の例として説明した。
図２における切り欠き片１１５の位置が、板材１１０における第１折曲げ線１１３の延長線上を跨ぐ位置であれば、所定角度を、直角を含む９０度以上に設定することができ、かつ、９０度未満にも設定することができるからである。
仮に、図２における切り欠き片１１５の位置が、板材１１０における第１折曲げ線１１３の延長線上を跨がずに第１壁１１１側のみまたは第２壁１１２側のみである構成の場合、基本的には所定角度が９０度未満になってしまうからである。
また、穴状の係合部分の一例としての係合穴１１２ａについて説明したが、切り欠き片１１５に形成された溝部分１１５ａが、第２壁１１２の一方面および他方面の両面と接触自在であれば、係合部分は凹状でもよい。
【００２６】
さらに、本実施例では、第２折曲げ線１１４が、第１折曲げ線１１３と交差する方向に設けられている。
また、図３（Ａ）〜図４（Ｂ）に示すように、係合穴１１２ａが、切り欠き片１１５の溝部分１１５ａを挿通させる挿通領域１１２ｂと、切り欠き片１１５の溝部分１１５ａが第２壁１１２の両面と接触したときに位置する角度保持領域１１２ｃとを有している。
そして、角度保持領域１１２ｃが、挿通領域１１２ｂより狭く設けられている。
さらに、角度保持領域１１２ｃは、切り欠き片１１５の姿勢が第１壁１１１と同一面上であるときの第１折曲げ線延設方向における挿通領域１１２ｂより切り欠き片１１５の自由端側となる位置に配置されている。
【００２７】
そして、図４（Ａ）に示す状態から図４（Ｂ）に示す状態になる際、切り欠き片１１５の溝部分１１５ａが、第２壁１１２の係合穴１１２ａにおける挿通領域１１２ｂと対向する位置まで切り欠き片１１５が第２折曲げ線１１４で折り曲げられる。
続いて、板材１１０が第１折曲げ線１１３でさらに折り曲げられることにより、切り欠き片１１５の溝部分１１５ａが、第２壁１１２の係合穴１１２ａにおける挿通領域１１２ｂに挿通される。
【００２８】
次に、第２折曲げ線１１４における折曲げが少し戻されて、切り欠き片１１５の溝部分１１５ａが、第２壁１１２の係合穴１１２ａにおける角度保持領域１１２ｃにはまり込む。
この際、切り欠き片１１５の溝部分１１５ａが、第２壁１１２の両面と接触して、第１壁１１１に対する第２壁１１２の姿勢が決まり、第１壁１１１と第２壁１１２との成す角度が所定角度の一例として略直角になる。
つまり、姿勢・角度が保持される。
【００２９】
これにより、板材１１０から折曲げた切り欠き片１１５について、折曲げる前の姿勢に戻ろうとする力が作用しても第２壁１１２の係合穴１１２ａにおける切り欠き片１１５が戻ろうとする側に位置する角度保持領域１１２ｃに切り欠き片１１５の溝部分１１５ａが留まる。
その結果、切り欠き片１１５の溝部分１１５ａが第２壁１１２の両面と接触した状態を維持して第１壁１１１と第２壁１１２とを所定角度の一例として略直角で維持できる。
【００３０】
また、前述したように、本実施例のパーティション１００は、複数の板材１１０と、複数の板材１１０を繋ぐジョイント部材１２０とを備えている。
図１および図５（Ｂ）に示すように、ジョイント部材１２０は、板材１１０を複数重ねた状態で複数の板材１１０のそれぞれ外側面と接触して挟持するように設けられている。
これにより、複数の板材１１０が互いに自由に連結自在となる。
その結果、板材１１０とジョイント部材１２０とを組み合わせるだけで様々なプライベート空間を簡単に作ることができる。
【００３１】
さらに、２枚の板材１１０の重なる範囲が無段階で調整自在となる。
その結果、２枚の板材１１０の一部が互いに重なる条件下で２枚の板材１１０の連結方向の長さを自由に簡単に調整することができる。
また、２枚の板材１１０を連結するための穴を設ける必要がない。
その結果、安心なプライベート空間を設けることができる。
なお、ジョイント部材１２０の材質は、可撓性を有していれば、樹脂や金属など如何なるものでもよい。
図５（Ｂ）におけるジョイント部材１２０の下端側を互いに外側の撓ませた状態で、例えば、２枚重ねた板材１１０を外側から挟んで、元の形状に戻ろうとする力によって２枚重ねた板材１１０を挟持することができるからである。
【００３２】
さらに、図５（Ｂ）に示すように、板材１１０が、樹脂製の３層以上の複層構造を有している。
そして、図２および図５（Ｂ）に示すように、複層構造のうちの両外側の層が平坦層１１０Ａであり、内部中間の層が所定方向であるリブ延設方向Ｄに長尺な中空構造を形成するリブ形状層１１０Ｂである。
【００３３】
これにより、お茶などの液体が板材１１０に対して基本的にしみ込まない、かつ、消毒液などの液体薬品が板材１１０に対して使用可能となる。
その結果、衛生面で優れたパーティション１００を提供できる。
さらに、単層構造と比べて強靱で耐久性が増す。
その結果、再利用自在な環境面で優れたパーティション１００を提供できる。
また、中空構造となるため、中空でない構造と比べて軽量なパーティション１００を提供できる。
【００３４】
なお、本実施例では、板材１１０の鉛直方向上側となる上辺において、切り欠き片１１５を設けたが、切り欠き片１１５の位置は、板材１１０の上辺に限らない。
例えば、板材１１０の下側となる底辺（下辺）に設けてもよいし、上辺と底辺（下辺）との間の中間の位置に設けてもよい。
この場合、穴状または凹状の係合部分（係合穴１１２ａ）の位置を、切り欠き片１１５の位置に対応させることは勿論である。
また、一枚の板材１１０について、切り欠き片１１５を１箇所設けたが、複数箇所設けてもよい。
例えば、上辺および底辺（下辺）の２箇所設けてもよい。
【００３５】
このようにして得られた本考案の第１実施例であるパーティション１００は、折曲げ線を介して互いに連結した第１壁１１１と第２壁１１２とを互いに所定角度の姿勢に変位自在な板材１１０を備え、板材１１０が、板材１１０における第１所定領域で構成される第１壁１１１と、板材１１０における第１所定領域と別の第２所定領域で構成される第２壁１１２と、第１壁１１１と第２壁１１２との間に配設された第１折曲げ線１１３と、板材１１０における第１折曲げ線１１３の延長線上を跨ぐ位置において第２折曲げ線１１４および切り込みによって形成されて相互に第２折曲げ線１１４を介して第１壁１１１と連結する切り欠き片１１５と、第２壁１１２に形成された穴状または凹状の係合部分の一例である係合穴１１２ａとを有し、第１壁１１１および第２壁１１２が板材１１０における同一面上の姿勢から第１折曲げ線１１３で折り曲げられて互いに変位し、切り欠き片１１５が、板材１１０における第１壁１１１と同一面上の姿勢から第２折曲げ線１１４で第１壁１１１に対する第２壁１１２の変位した側へ折り曲げられた際に、切り欠き片１１５に形成された溝部分１１５ａが、第２壁１１２に形成された係合穴１１２ａに挿通されて第２壁１１２の一方面および他方面の両面と接触自在な構成であることにより、別部材なしでパーティション１００である第１壁１１１と第２壁１１２とを所定角度の一例として略直角で簡単に設置することができ、間仕切りとして殆ど影響なくプライベート空間を設けることができる。
【００３６】
さらに、第２折曲げ線１１４が、第１折曲げ線１１３と交差する方向に設けられ、係合穴１１２ａが、切り欠き片１１５の溝部分１１５ａを挿通させる挿通領域１１２ｂと、切り欠き片１１５の溝部分１１５ａが第２壁１１２の両面と接触したときに位置する角度保持領域１１２ｃとを有し、角度保持領域１１２ｃが、挿通領域１１２ｂより狭く、切り欠き片１１５の姿勢が第１壁１１１と同一面上であるときの第１折曲げ線延設方向における挿通領域１１２ｂより切り欠き片１１５の自由端側となる位置に配置された構成であることにより、切り欠き片１１５の溝部分１１５ａが第２壁１１２の両面と接触した状態を維持して第１壁１１１と第２壁１１２とを所定角度の一例として略直角で維持できる。
【００３７】
また、パーティション１００が、板材１１０を複数重ねた状態で複数の板材１１０のそれぞれ外側面と接触して挟持するジョイント部材１２０を備えていることにより、板材１１０とジョイント部材１２０とを組み合わせるだけで様々なプライベート空間を簡単に作ることができ、さらに、２枚の板材１１０の一部が互いに重なる条件下で２枚の板材１１０の連結方向の長さを自由に簡単に調整することができ、安心なプライベート空間を設けることができる。
【００３８】
さらに、板材１１０が、樹脂製の３層以上の複層構造を有し、複層構造のうちの両外側の層が平坦層１１０Ａであり、内部中間の層が所定方向であるリブ延設方向Ｄに長尺な中空構造を形成するリブ形状層１１０Ｂであることにより、衛生面、再利用自在な環境面で優れたパーティション１００を提供するとともに、中空でない構造と比べて軽量なパーティション１００を提供できるなど、その効果は甚大である。
【実施例２】
【００３９】
続いて、本考案の第２実施例であるパーティション２００について、図６（Ａ）に基づいて説明する。
ここで、図６（Ａ）は、本考案の第２実施例であるパーティション２００の板材２１０の切り欠き片２１５および凹状の係合部分２１２ａの例を示す拡大図である。
第２実施例のパーティション２００は、第１実施例のパーティション１００の係合穴１１２ａを凹状の係合部分に変更したものであり、多くの要素について第１実施例のパーティション１００と共通するので、共通する事項については詳しい説明を省略し、下２桁が共通する２００番台の符号を付すのみとする。
【００４０】
本実施例では、図６（Ａ）に示すように、板材２１０が、第１壁２１１と、第２壁２１２と、第１折曲げ線２１３と、切り欠き片２１５と、穴状または凹状の一例として凹状の係合部分２１２ａとを有している。
さらに、第１壁２１１および第２壁２１２が板材２１０における同一面上の姿勢から第１折曲げ線２１３で折り曲げられて互いに変位した際に、切り欠き片２１５が、板材２１０における第１壁２１１と同一面上の姿勢から第２折曲げ線２１４で第１壁２１１に対する第２壁２１２の変位した側へ折り曲げられる。
【００４１】
そして、この際に、切り欠き片２１５に形成された溝部分２１５ａの底が、第２壁２１２に形成された凹状の係合部分２１２ａに挿通されて、溝部分２１５ａの両側の側壁が、第２壁２１２の一方面および他方面の両面と接触自在に構成されている。
これにより、第１壁２１１と第２壁２１２との成す角度が所定角度の一例として略直角になる。
その結果、別部材なしでパーティション２００である第１壁２１１と第２壁２１２とを所定角度の一例として略直角で簡単に設置することができる。
なお、凹状の係合部分２１２ａにおいて、切り欠き片２１５に形成された溝部分２１５ａが安定して位置し続けるように、内側へ突出した小さな突起を形成してもよい。
【実施例３】
【００４２】
続いて、本考案の第３実施例であるパーティション３００について、図６（Ｂ）に基づいて説明する。
ここで、図６（Ｂ）は、本考案の第３実施例であるパーティション３００の板材３１０の切り欠き片３１５の例を示す拡大図である。
第３実施例のパーティション３００は、第１実施例のパーティション１００の切り欠き片１１５および係合穴１１２ａの形状および位置を変更したものであり、多くの要素について第１実施例のパーティション１００と共通するので、共通する事項については詳しい説明を省略し、下２桁が共通する３００番台の符号を付すのみとする。
【００４３】
本実施例では、図６（Ｂ）に示すように、板材３１０が、第１壁３１１と、第２壁３１２と、第１折曲げ線３１３と、切り欠き片３１５と、穴状または凹状の係合部分の一例としての係合穴３１２ａとを有している。
このうち、切り欠き片３１５は、板材３１０における第１折曲げ線３１３の延長線上を跨ぐ位置において、第２折曲げ線３１４および切り込みによって形成されている。
そして、相互に第２折曲げ線３１４を介して第１壁３１１と連結している。
【００４４】
さらに、第１壁３１１および第２壁３１２が板材３１０における同一面上の姿勢から第１折曲げ線３１３で折り曲げられて互いに変位した際に、切り欠き片３１５が、板材３１０における第１壁３１１と同一面上の姿勢から第２折曲げ線３１４で第１壁３１１に対する第２壁３１２の変位した側へ折り曲げられる。
そして、この際に、切り欠き片３１５に形成された溝部分３１５ａの一方の側壁および底が、第２壁３１２に形成された係合穴３１２ａに挿通されて、溝部分３１５ａの両側の側壁が、第２壁３１２の一方面および他方面の両面と接触自在に構成されている。
【００４５】
これにより、第１壁３１１と第２壁３１２との成す角度が所定角度の一例として略直角になる。
その結果、別部材なしでパーティション３００である第１壁３１１と第２壁３１２とを所定角度の一例として略直角で簡単に設置することができる。
【符号の説明】
【００４６】
１００、  ２００、  ３００  ・・・  パーティション
１１０、  ２１０、  ３１０  ・・・  板材
１１０Ａ                    ・・・  平坦層
１１０Ｂ                    ・・・  リブ形状層
１１１、  ２１１、  ３１１  ・・・  第１壁
１１２、  ２１２、  ３１２  ・・・  第２壁
１１２ａ、          ３１２ａ・・・  係合穴（穴状の係合部分）
２１２ａ          ・・・  凹状の係合部分
１１２ｂ                    ・・・  挿通領域
１１２ｃ                    ・・・  角度保持領域
１１３、  ２１３、  ３１３  ・・・  第１折曲げ線
１１４、  ２１４、  ３１４  ・・・  第２折曲げ線
１１５、  ２１５、  ３１５  ・・・  切り欠き片
１１５ａ、２１５ａ、３１５ａ・・・  溝部分
１２０                      ・・・  ジョイント部材
Ｄ                          ・・・  リブ延設方向（所定方向）
【図１】
0003230155.tif 000003
【図２】
0003230155.tif 000004
【図３】
0003230155.tif 000005
【図４】
0003230155.tif 000006
【図５】
0003230155.tif 000007
【図６】
0003230155.tif 000008